(57)【要約】      （修正有）【課題】歯ブラシをその長手方向に動かして歯磨きをした際に、歯間に用毛を良好に挿入することができる歯ブラシを提供する。【解決手段】歯ブラシは、ヘッド部３の略中央に配置される内側毛束群４ａと、内側毛束群４ａの両外側に配置される外側毛束群４ｂとを備えた歯ブラシであって、内側毛束群４ａは、外側毛束群４ｂを構成する外側毛束４４の背丈よりも高く、長さ方向にねじれた長尺毛束４２を有する。【選択図】図２
2017093624.tif 000002
【特許請求の範囲】
【請求項１】
ヘッド部の略中央に配置される内側毛束群と、前記内側毛束群の両外側に配置される外側毛束群とを備えた歯ブラシであって、
前記内側毛束群は、前記外側毛束群を構成する外側毛束の背丈よりも高く、長さ方向にねじれた長尺毛束を有することを特徴とする歯ブラシ。
【請求項２】
前記長尺毛束が前記ヘッド部の長手方向に連続して配置されていることを特徴とする、請求項１に記載の歯ブラシ。
【請求項３】
前記内側毛束群は、前記長尺毛束の背丈よりも低い短尺毛束を有することを特徴とする、請求項１又は２に記載の歯ブラシ。
【請求項４】
前記外側毛束群は、前記外側毛束が前記内側毛束群を挟んで前記ヘッド部の短手方向に２列ずつ配置されている領域を有することを特徴とする、請求項１〜３のいずれか１項に記載の歯ブラシ。
【請求項５】
前記内側毛束群は、前記長尺毛束が前記ヘッド部の短手方向に２列配置されている領域を有することを特徴とする、請求項１〜４のいずれか１項に記載の歯ブラシ。
【請求項６】
前記内側毛束群と前記外側毛束群とからなる毛束群の幅の最大値が、前記外側毛束の背丈よりも大きいことを特徴とする、請求項１〜５のいずれか１項に記載の歯ブラシ。
【請求項７】
前記外側毛束群が、同じ背丈の外側毛束から構成されていることを特徴とする、請求項１〜６のいずれか１項に記載の歯ブラシ。
【請求項８】
前記長尺毛束を構成する各用毛の先端が異なる方向に湾曲していることを特徴とする、請求項１〜７のいずれか１項に記載の歯ブラシ。
【発明の詳細な説明】
【技術分野】
【０００１】
本発明は、歯ブラシに関する。
【背景技術】
【０００２】
一般に、歯ブラシは、複数の用毛を束ねた毛束が植毛台（以下、ヘッド部とも称する）に形成された複数の植毛穴に植設された構成を有している。
【０００３】
歯ブラシとしては、比較的平滑な歯面に対する良好な清掃効果のみならず、歯間の入り組んだ部位に対する良好な清掃効果も求められており、従来から種々の検討がなされてきた。
【０００４】
例えば下記特許文献１に記載された歯ブラシでは、外側列の毛束の内側列に細くて長い毛束を配置することで、歯間部の入り組んだ部位まで毛束を入り込ませ、通常の歯ブラシでは清掃困難であった歯間部を良好に清掃することが提案されている。
【先行技術文献】
【特許文献】
【０００５】
【特許文献１】特開２００１−３０９８１９号公報
【発明の概要】
【発明が解決しようとする課題】
【０００６】
しかしながら、このような従来の歯ブラシでは、その長手方向に動かして歯磨きをした際の、歯間への用毛の良好な挿入性については何ら考慮されていなく、改善すべき課題が依然として残っていた。
【０００７】
本発明はこのような課題に鑑みてなされたものであり、その目的は、歯ブラシをその長手方向に動かして歯磨きをした際に、歯間に用毛を良好に挿入することができる歯ブラシを提供することにある。
【課題を解決するための手段】
【０００８】
上記課題を解決するために、本発明に係る歯ブラシは、ヘッド部の略中央に配置される内側毛束群と、前記内側毛束群の両外側に配置される外側毛束群とを備えた歯ブラシであって、前記内側毛束群は、前記外側毛束群を構成する外側毛束の背丈よりも高く、長さ方向にねじれた長尺毛束を有することを特徴とする。
【０００９】
かかる構成によれば、ヘッド部の略中央に配置される内側毛束群は、外側毛束群を構成する外側毛束の背丈よりも高い長尺毛束を有するため、歯ブラシの長手方向にブラシを動かしながら清掃した場合であっても、当該長尺毛束が歯間に良好に入り込み、優れた挿入性を確保することができる。ここでいう毛束の背丈とは、植毛面から突出した毛束の長さをいう。また、外側毛束が長尺毛束よりも低いことで、長尺毛束を歯間に挿入する角度を安定させ、長尺毛束の用毛の挿入性を高めることができる。更に、長尺毛束がねじれを有することで、長尺毛束にコシが生まれ（長尺毛束の座屈強度が高まり）、上述した角度を安定させ且つ歯間への挿入性を向上させることができる。なお、本発明における「長さ方向にねじれた長尺毛束」とは、毛束を構成する各用毛がねじれている（スパイラル毛である）ことを意味する。
【００１０】
また本発明に係る歯ブラシでは、前記長尺毛束が前記ヘッド部の長手方向に連続して配置されていることが好ましい。
【００１１】
例えばヘッド部の長手方向に長尺毛束がまばらに配置されている場合には、該長手方向にブラシを動かしたときに、長尺毛束が倒れやすくなり、歯間への長尺毛束の用毛の挿入性が悪くなってしまう。これに対し、この好ましい態様では、ヘッド部の長手方向に長尺毛束が連続して配置されているため、長手方向にブラシを動かしたとしても毛束同士が長手方向において支え合うため、毛束が倒れにくくなる。その結果、歯間への長尺毛束の用毛の挿入性を向上させることができる。なお、「長尺毛束がヘッド部の長手方向に連続して配置」とは、長手方向に隣接する各植毛穴に長尺毛束が配置されることを示し、例えば、長手方向に沿って一直線状に配置される各植毛穴に長尺毛束が配置されることや、長手方向に沿って千鳥状に配置される各植毛穴に長尺毛束が配置されることを含む。
【００１２】
また本発明に係る歯ブラシでは、前記内側毛束群は、前記長尺毛束の背丈よりも低い短尺毛束を有することが好ましい。
【００１３】
内側毛束群を構成する内側毛束が全て同じ高さで構成されている場合には、長手方向に歯ブラシを動かして歯磨きをした際に、狭い歯間に内側毛束の用毛が入りにくくなるおそれがあるが、この好ましい態様では、内側毛束が高低差のある毛束を有し、背丈の高い長尺毛束の用毛が良好に歯間へ入り込むので、歯間への優れた挿入性を得ることができる。
【００１４】
また本発明に係る歯ブラシでは、前記外側毛束群は、前記外側毛束が前記内側毛束群を挟んで前記ヘッド部の短手方向に２列ずつ配置されている領域を有することが好ましい。
【００１５】
この好ましい態様によれば、外側毛束が長手方向に１列の場合と比較して、長尺毛束の用毛を歯間に挿入させるための角度をより安定させることができ、また外側毛束が長手方向に３列の場合と比較して、長尺毛束を好ましい角度で歯に接触させることができる。
【００１６】
また本発明に係る歯ブラシでは、前記内側毛束群は、前記長尺毛束が前記ヘッド部の短手方向に２列配置されている領域を有することが好ましい。
【００１７】
この好ましい態様によれば、長尺毛束が３列以上の構成と比較して、長尺毛束の自由度が得られ、長尺毛束が１列の構成と比較して、長尺毛束のコシを十分に得ることができる。その結果、歯ブラシの長手方向にブラシを動かして清掃した場合であっても、歯間への長尺毛束の用毛の優れた挿入性を確保することができる。
【００１８】
また本発明に係る歯ブラシでは、前記内側毛束群と前記外側毛束群とからなる毛束群の幅の最大値が、前記外側毛束の背丈よりも大きいことが好ましい。
【００１９】
この好ましい態様によれば、毛束群の幅が十分に広く形成されているので、歯ブラシの長手方向にブラシを動かして清掃した場合であっても、歯間への長尺毛束の用毛の優れた挿入性を確保することができる。
【００２０】
また本発明に係る歯ブラシでは、前記外側毛束群が、同じ背丈の外側毛束から構成されていることが好ましい。
【００２１】
この好ましい態様によれば、外側毛束に高低差がある構成と比較して、外側毛束が歯に接触したときの長尺毛束の角度がより安定し、長尺毛束の用毛の歯間への挿入性を高めることができる。
【００２２】
また本発明に係る歯ブラシでは、前記長尺毛束を構成する各用毛の先端が異なる方向に湾曲している。
【００２３】
この好ましい態様によれば、長尺毛束を構成する用毛の先端が異なる方向に湾曲しているため、用毛が歯間へ挿入された際に当該歯間の歯垢を効率良くかき取ることができ、歯間の清掃性を向上させることができる。
【発明の効果】
【００２４】
本発明によれば、歯ブラシをその長手方向に動かして歯磨きをした際に、歯間に用毛を良好に挿入することができる歯ブラシを提供することができる。
【図面の簡単な説明】
【００２５】
【図１】本発明の実施形態に係る歯ブラシの概略構成を示す平面図である。
【図２】図１のヘッド部の概略平面図である。
【図３】図１のヘッド部の概略側面図である。
【図４】図２の内側毛束を構成する内側用毛及び外側毛束を構成する外側用毛の説明図である。
【図５】図２の内側毛束のねじれを説明するための図である。
【図６】図２の内側毛束を構成する内側用毛を説明するための図である。
【図７】図２のヘッド部の植毛領域及び植毛密度について説明するための図である。
【図８】歯ブラシのヘッド部の変形例を示す図である。
【発明を実施するための形態】
【００２６】
以下添付図面を参照しながら本発明の実施形態について説明する。尚、以下の好ましい実施形態の説明は、例示に過ぎず、本発明、その適用物或いはその用途を制限することを意図するものではない。以下の説明では、歯ブラシの各部位に関連して用いる前後左右等の位置関係は、特に断らない限り、図１の紙面上側及び紙面下側をそれぞれ前側及び後側に、図１の紙面左側及び紙面右側をそれぞれ左側及び右側とした場合の位置関係にしたがったものとする。したがって、ヘッド部の前後方向とは、ヘッド部の長手方向（縦方向）を意味し、ヘッド部の左右方向とは、ヘッド部の短手方向を意味するものとする。
【００２７】
まず、本実施形態に係る歯ブラシの構成について説明する。図１は、歯ブラシの概略構成を示す平面図である。図２はヘッド部の概略平面図である。図３は、ヘッド部の概略側面図である。図４は、図２及び図３の内側毛束を構成する内側用毛及び外側毛束を構成する外側用毛を説明するための図である。
【００２８】
図１に示すように、歯ブラシ１は、柄部２と、柄部２の前端に設けられたヘッド部３とを備える。柄部２は、ユーザが歯ブラシ１を把持するために用いる部分であり、ヘッド部３よりも前後方向に長く形成されている。柄部２とヘッド部３とは、例えば、ポリプロピレン樹脂を素材として一体成形されている。柄部２とヘッド部３とは、一体形成されてもよいし、別体で形成されてもよい。
【００２９】
ヘッド部３は、図２に示すように、平面視、長方形の四隅をなだらかに切り落とした平板状からなり、先端（図２では上端）に向かって先細り状に湾曲している。ヘッド部３は、表面に植毛面１０を有している。植毛面１０には、有底円筒状の複数の植毛穴１２が形成されている。各植毛穴１２には、複数の用毛を束ねてなる毛束が植設され、これら毛束が全体として毛束群４を構成している。
【００３０】
図２に示すように、毛束群４は、ヘッド部３の略中央に配置された内側毛束群４ａと、内側毛束群４ａの両側に配置された外側毛束群４ｂとからなる。
【００３１】
図２及び図３に示すように、内側毛束群４ａは、複数の内側毛束４２から構成され、外側毛束群４ｂは、複数の外側毛束４４から構成されている。
【００３２】
外側毛束４４は、図２に白丸で示すものであり、内側毛束群４ａを挟むようにしてヘッド部３の中心を通る軸線に線対称に１２個ずつ配置されている。図２に示す例では、外側毛束４４は、ヘッド部３の側端に沿って長手方向に７個配置され、その内側の列に長手方向に沿って５個配置されている。図２に示す外側毛束４４の配列の詳細は後述する。
【００３３】
内側毛束４２は、図２に黒丸で示すものであり、ヘッド部３の中央側に且つヘッド部３の長手方向に沿って複数配置されている。図２に示す例では、内側毛束４２は、ヘッド部３の略中央に且つヘッド部３の長手方向に沿って一部は縦１列で、一部は縦２列で配置されている。図２に示す内側毛束４２の配列の詳細は後述する。なお、内側毛束４２及び外側毛束４４の配置や個数は、図２に示す例に限定されず、適宜変更可能である。
【００３４】
続いて、内側毛束４２を構成する内側用毛及び外側毛束４４を構成する外側用毛について説明する。
【００３５】
内側毛束４２は、長尺毛束と短尺毛束とを有している。長尺毛束は、背丈の高くテーパー加工の施された長尺用毛４２１（図４）を複数束ねて構成されており、短尺毛束は、当該長尺用毛４２１より背丈の低く、テーパー加工の施されていない短尺用毛４２２（図４）を複数束ねて構成されている。長尺用毛４２１の背丈は、外側毛束４４を構成する外側用毛４４１（図４）の背丈よりも高く、例えば１０〜１７ｍｍの範囲であることが好ましい。なお、長尺用毛４２１には、歯間への挿入性を高めるために、テーパー加工が施されていることが好ましい。なお、短尺毛束を構成する短尺用毛４２２にテーパー加工が施されていてもよい。また、歯間への挿入効果が適切に得られるという観点から、内側毛束４２の直径は、１〜２ｍｍであることが好ましい。
【００３６】
外側毛束４４は、互いに同じ高さの外側用毛４４１（図４）を複数束ねて構成されている。外側用毛４４１の背丈は、例えば７〜１２ｍｍの範囲であることが好ましい。外側毛束４４を構成する外側用毛４４１の一部は（本実施例では半分）、テーパー加工が施されていてもよい。なお、本実施形態における「同じ高さの外側用毛４４１」とは、完全に同一の高さの外側用毛４４１だけでなく、実質的に同じ高さ（例えば高さの差異が１ｍｍ程度ある場合）の外側用毛４４１を含む。
【００３７】
なお、長尺用毛４２１を複数束ねた長尺毛束と、外側用毛４４１を複数束ねた外側毛束との高低差は、長尺毛束４２ａの長尺用毛４２１の歯間への挿入効果に優れるという観点から、２〜７ｍｍであることが好ましく、３〜６ｍｍであることがより好ましい。
【００３８】
図４に示した長尺用毛４２１について更に説明する。図５に示すように、長尺用毛４２１は、長さ方向にねじれを有するスパイラル毛である。本実施形態においては、長尺毛束を構成する長尺用毛４２１は全てねじれているが、長尺毛束を構成する長尺用毛４２１の大部分（例えば８０％程度）がねじれているようにしてもよい。このねじれの数としては、長尺毛束４２ａの長尺用毛４２１の歯間への挿入効果に優れるという観点から、その長さ方向１ｃｍ当たり１．５〜４回のねじれを有することが好ましく、長さ方向１ｃｍ当たり２〜３．５回のねじれを有することがより好ましい。短尺用毛４２２についても、長尺用毛４２１と同様に、長さ方向にねじれを有するスパイラル毛により構成されていても良い。
【００３９】
なお、長尺用毛４２１の横断面形状は、清掃効果の観点から、多角形状であることが好ましく、四角形であることがより好ましい。また、長尺用毛４２１は、歯間への用毛の挿入性を向上させる観点から、長尺毛束によって構成される長尺毛束群の座屈強度が３５０ｇ以上であることが好ましく、４５０ｇ以上であることがより好ましい。なお、座屈強度はヘッド部３の長尺毛束群の先端を平坦な面に当接させ、ヘッド部３の植毛面１０の反対側から荷重を垂直方向に負荷し、長尺毛束群が座屈した際の荷重（g）を計測したものである。
【００４０】
なお、上記のとおり、図４に示す外側毛束４４を構成する外側用毛４４１の半分にはテーパー加工が施され、半分の外側用毛４４１にはテーパー加工が施されていない。しかしこの例に限定されず、全ての外側用毛４４１にテーパー加工が施されていてもよく、また全ての外側用毛４４１にテーパー加工が施されていなくても良い。また、外側用毛４４１の横断面形状は、特に限定はなく、例えば、円形状であってもよいし、例えば多角形状であっても良い。また、図４には、１つの植毛穴１２に長尺用毛４２１と短尺用毛４２２とが植設されている例が示されているがこの例に限定されない。例えば、１つの植毛穴１２に長尺用毛４２１のみが植設されていても良く、１つの植毛穴１２に短尺用毛４２２のみが植設されていても良い。
【００４１】
また上述した本実施形態では、外側毛束４４を構成する外側用毛４４１は、長さ方向にねじれを有するスパイラル毛ではないが、外側用毛４４１も長尺用毛４２１と同様に、スパイラル毛により構成されていても良い。言い換えれば、外側毛束４４も、長さ方向にねじれを有するスパイラル毛を有していても良い。このように、内側毛束４２及び外側毛束４４におけるスパイラル毛の有無、各毛束を構成する用毛（長尺用毛４２１、短尺用毛４２２、外側用毛４４１）におけるテーパー加工の有無は、図４に示した例に限定されず、適宜選択することが可能である。
【００４２】
また上述した本実施形態において、図４に示す短尺用毛４２２の背丈は、外側用毛４４１の背丈よりも低くても良い。言い換えれば、長尺用毛４２１から構成される長尺毛束４２ａの背丈が、外側毛束４４の背丈よりも高くなっていれば良い。つまり、内側毛束群４ａを構成する内側毛束４２の一部の背丈が、外側毛束４４の背丈よりも高くなっていれば良い。
【００４３】
図２に戻り、内側毛束４２の配置について更に説明する。本実施形態では、内側毛束４２のうちの長尺毛束４２ａ（図７参照）がヘッド部３の長手方向に連続して配置されている。言い換えれば、内側毛束群４ａにおける植毛穴１２のうち、ヘッド部３の長手方向に沿って形成された植毛穴１２の間隔をあけずに長尺毛束４２ａが植設されている。更に言い換えれば、長手方向に隣接する各植毛穴１２に長尺毛束４２ａが配置されている。長尺毛束４２ａが長手方向に連続して配置される例としては、例えば長手方向に沿って一直線状に配置される各植毛穴に長尺毛束４２ａが配置されることや、長手方向に沿って千鳥状に配置（例えば図８（Ｅ））される各植毛穴に長尺毛束４２ａが配置されること等が挙げられる。
【００４４】
また内側毛束４２は、図２に示すように、ヘッド部３の第１領域３ａの先端部に至るまで配置されている。また内側毛束４２は、ヘッド部３の第３領域３ｃの基端部に至るまで配置されている。詳細には、ヘッド部３の第１領域３ａの先端部（図２ではヘッド部３の最前部の列）に、内側毛束４２が２個配置され、且つ、この第１領域３ａの先端部には外側毛束４４が存在しない。また、ヘッド部３の第３領域３ｃの基端部（図２ではヘッド部３の最後部の列）に、内側毛束４２が１個配置されている。
【００４５】
なお、ヘッド部３の第１領域３ａは、湾曲した前端を有する平面視山状の前端部を含む部分であり、ヘッド部３の第３領域３ｃは、平面視略逆台形状の後端部を含む部分であり、ヘッド部３の第２領域３ｂは、これらの間の部分であって、直線的な左右一対の側端を有する略長方形の部分である。図２に示す例では、ヘッド部３の第１領域３ａに、内側毛束４２が横３列で、前の列から順に、２個、２個、１個配置され、ヘッド部３の第２領域３ｂに、内側毛束４２が横３列で、各列２個ずつ配置され、ヘッド部３の第３領域３ｃに、内側毛束４２が横２列で、各列１個ずつ配置される。なお、ヘッド部３の第２領域３ｂは、ヘッド部３の幅が最大の領域及び毛束群４の幅が最大の領域とも称することができる。
【００４６】
上述したように、ヘッド部３の第１領域３ａの先端部に至るまで内側毛束４２が配置され、且つ、当該先端部に外側毛束４４が存在しないことにより、以下の効果を奏する。詳細には、先端部に外側毛束４４がある場合には、最初に外側毛束４４が歯に当接して当該外側毛束４４が倒れ、これにより隣接する内側毛束４２の長尺毛束４２ａが倒れてしまうおそれがある。これに対し、先端部に外側毛束４４がない場合には、最初に外側毛束４４が歯に当接して当該外側毛束４４が倒れることを防ぐことができるため、当該外側毛束４４に隣接する長尺毛束４２ａが倒れてしまうことを防ぐことができる。その結果、ヘッド部３の先端側の長尺毛束４２ａの長尺用毛４２１の、歯間への挿入性が損なわれることを防ぐことができる。
【００４７】
なお、図２に示す例では、ヘッド部３の第３領域３ｃの基端部に、内側毛束４２及び外側毛束４４が配置された構成となっているが、この基端部において、内側毛束４２のみ配置された構成、すなわち、外側毛束４４が存在しない構成としてもよい。このように構成することによって、ヘッド部３の第３領域３ｃの基端部及びヘッド部３の第１領域３ａの先端部における外側毛束４４が倒れ、これにより隣接する内側毛束４２の長尺毛束４２ａが倒されてしまうことを防ぐことができる。その結果、長尺毛束４２ａの長尺用毛４２１の、歯間への挿入性をより一層向上させることができる。
【００４８】
ここで、ヘッド部３の第２領域３ｂにおいて、内側毛束４２は、縦２列で各列３個の配置となっており、外側毛束４４は、内側毛束４２の両側に、それぞれ縦２列で各列３個の配置となっている。言い換えれば、第２領域３ｂ（毛束群４の幅（内側毛束群４ａの幅と外側毛束群４ｂの幅の合計）が最大の領域）において、内側毛束４２は、ヘッド部３の短手方向に２列で、各列３個の配置となっており、外側毛束４４は、内側毛束４２を挟んでヘッド部３の短手方向にそれぞれ２列（計４列）で、各列３個の配置となっている。
【００４９】
このように本実施形態では、ヘッド部３の第２領域３ｂ（毛束群４の幅が最大の領域）において、外側毛束４４が、内側毛束４２を挟んでヘッド部３の短手方向に２列ずつ配置されている。このため、外側毛束４４が１列の場合と比較して、内側毛束４２の長尺毛束４２ａを歯間に挿入するための角度がより一層安定し、その結果、歯ブラシの長手方向にブラシを動かして清掃した場合であっても、長尺用毛４２１の歯間への挿入性を十分に得ることができる。なお、外側毛束４４が、内側毛束４２を挟んでヘッド部３の短手方向に２列ずつ配置されている場合の他に、例えば後述する図８（Ｆ）に示すように、内側毛束４２よりも太い外側毛束４４を１列配置することによっても、上述した効果と同様の効果を得ることができる。
【００５０】
また本実施形態では、ヘッド部３の第２領域３ｂの幅が、外側毛束４４の背丈よりも大きい。言い換えれば、毛束群４の幅の最大値が、外側毛束４４の背丈よりも大きい。なお、毛束群４の幅の最大値は、長尺毛束４２ａの背丈よりは小さいことが好ましい。
【００５１】
また本実施形態では、長尺毛束４２ａを構成する複数の長尺用毛４２１の先端４２１ａが、図６に示すように、湾曲していることが好ましい。この湾曲とは、長尺用毛４２１の先端４２１ａが異なる方向に延びていることを意味する。
【００５２】
続いて、植毛領域及び植毛密度について説明する。図７は、内側植毛領域、外側植毛領域、内側植毛密度及び外側植毛密度を説明するための図である。
【００５３】
図７に示すように、内側毛束群４ａの最外周に位置する長尺毛束４２ａが植設された植毛穴１２の外縁を結んだ環状線によって囲まれた領域を内側植毛領域１０２と定義し、外側毛束群４ｂの最外周に位置する外側毛束４４が植設された植毛穴１２の外縁を結んだ環状線によって囲まれた領域を外側植毛領域１０４と定義する。この場合、外側植毛領域１０４の面積は、内側植毛領域１０２の面積の１．５倍〜３倍であることが好ましい。
【００５４】
また、内側毛束群４ａを構成する用毛の総本数を内側植毛領域１０２の面積で除した値を内側植毛密度と定義し、外側毛束群４ｂを構成する用毛の総本数を外側植毛領域１０４の面積で除した値を外側植毛密度と定義する。このように定義した場合、長尺毛束４２ａの長尺用毛４２１の歯間への挿入効果に優れるという理由で、内側植毛密度は、５〜１５本/mm2の範囲であることが好ましく、５〜１０本/mm2の範囲であることがより好ましく、７〜１０本/mm2の範囲であることがさらに好ましく、外側植毛密度は、１０〜２０本/mm2の範囲であることが好ましく、１４〜１８本/mm2であることがより好ましい。また、長尺毛束４２ａを歯間に挿入する角度を安定させることができ、長尺用毛４２１の歯間への挿入効果に優れるという理由で、外側植毛密度は内側植毛密度よりも大きいことが好ましい。
【００５５】
以上、図１〜図７を参照しながら本発明の実施形態に係る歯ブラシ１の構成について説明した。しかしながら、この例に限定されるわけではなく、本発明の特徴を備えている限り適宜変更することができる。例えば図８に示すように、ヘッド部の形状、内側毛束の配置や個数及び外側毛束の配置や個数等を適宜変更することが可能である。以下で説明する図８に示す変形例では、図１に示した構成と同じ部分については同一の符号を用い、それらの詳細な説明は省略する。
【００５６】
図８（Ａ）に示す変形例では、図１に示した構成と比較して、ヘッド部３Ａの領域３Ａｂ（ヘッド部３Ａの幅が最大の領域（毛束群の幅が最大の領域））における毛束の個数を増加させた点が異なっている。詳細には、図８（Ａ）に示すヘッド部３Ａの領域３Ａｂでは、内側毛束４２が、ヘッド部３Ａの長手方向に連続して配置された列が縦２列で各列５個配置されている。また領域３Ａｂにおいて、外側毛束４４は、内側毛束４２を挟んでヘッド部３Ａの短手方向に２列ずつ配置（合計縦４列配置）で各列５個配置されている。
【００５７】
図８（Ｂ）に示す変形例では、図１に示した構成と比較して、ヘッド部３Ｂに植設された内側毛束４２の個数を増加させた点が異なっている。詳細には、図８（Ｂ）に示すヘッド部３Ｂの第２領域３Ｂｂ（ヘッド部３Ｂの幅が最大の領域（毛束群の幅が最大の領域））では、内側毛束４２は、ヘッド部３Ｂの長手方向に連続して配置されており、縦４列で各列５個配置されている。またヘッド部３Ｂの第２領域３Ｂｂでは、外側毛束４４は、内側毛束４２を挟んでヘッド部３Ｂの短手方向に１列ずつ（合計２列）、各列５個配置されている。なお、ヘッド部３Ｂの第１領域３Ｂａにおける内側毛束４２の個数、及び、ヘッド部３Ｂの第３領域３Ｂｃにおける内側毛束４２の個数も、図１に示した構成と比較して増加させている。
【００５８】
図８（Ｃ）に示す変形例では、ヘッド部３Ｃの中央側に配置された内側毛束４２が、ヘッド部３Ｃの長手方向に配置されてはいるものの、ヘッド部３Ｃの長手方向に連続して配置されていない点が図１に示した構成と異なっている。言い換えれば、図８（Ｃ）に示す例では、内側毛束４２が、ヘッド部３Ｃの長手方向にまばらに配置されている。詳細には、ヘッド部３Ｃの領域３Ｃｂ（ヘッド部３Ｃの幅が最大の領域（毛束群の幅が最大の領域））において、内側毛束４２と外側毛束４４とがヘッド部３Ｃの長手方向に交互に配置された列が、縦２列配置されている。
【００５９】
図８（Ｄ）に示す変形例では、図１に示した構成と比較して、ヘッド部３Ｄに植設された毛束の個数を減少させた点が異なっている。詳細には、図８（Ｄ）では、内側毛束４２は、ヘッド部３Ａの長手方向に連続して縦１列配置されている。外側毛束４４は、内側毛束４２の両側に各１列ずつ（合計２列）配置されている。
【００６０】
図８（Ｅ）に示す変形例では、図１に示した構成と比較して、ヘッド部３Ｅに植設された毛束の配置や個数等を変更させた点が異なっている。詳細には、ヘッド部３Ｅの中央側に配置された内側毛束４２が千鳥状に配置され、ヘッド部３Ｅの外側に配置された外側毛束４４も千鳥状に配置されている。
【００６１】
図８（Ｆ）及び図８（Ｇ）に示す変形例では、図１に示した構成と比較して、ヘッド部に形成された植毛穴の大きさを変更させた点が異なっている。詳細には、図８（Ｆ）では、ヘッド部３Ｆの外側に形成された植毛穴１２Ｆが、ヘッド部３Ｆの中央側に形成された植毛穴１２よりも拡大して形成されている。この拡大した植毛穴１２Ｆに外側毛束４４が植設されているため、外側毛束４４の太さは、内側毛束４２の太さよりも大きい。一方で、図８（Ｇ）では、ヘッド部３Ｇの中央側に形成された植毛穴１２Ｇが、ヘッド部３Ｇの外側に形成された植毛穴１２の大きさよりも拡大して形成されている。この拡大した植毛穴１２Ｇに内側毛束４２が植設されているため、内側毛束４２の太さは、外側毛束４４の太さよりも大きくなっている。
【００６２】
以上、具体例を参照しつつ本発明の実施形態について説明した。しかし、本発明はこれらの具体例に限定されるものではない。前述した各具体例が備える各要素及びその配置、材料、条件、形状、サイズなどは、例示したものに限定されるわけではなく適宜変更することができる。
【符号の説明】
【００６３】
１：歯ブラシ
２：柄部
３、３Ａ、３Ｂ、３Ｃ、３Ｄ、３Ｅ、３Ｆ、３Ｇ：ヘッド部
４：毛束群
４ａ：内側毛束群
４ｂ：外側毛束群
１０：植毛面
１２：植毛穴
４２：内側毛束
４２ａ：長尺毛束
４４：外側毛束
１０２：内側植毛領域
１０４：外側植毛領域
４２１：長尺用毛
４２２：短尺用毛
４４１：外側用毛
【図１】
2017093624.tif 000003
【図２】
2017093624.tif 000004
【図３】
2017093624.tif 000005
【図４】
2017093624.tif 000006
【図５】
2017093624.tif 000007
【図６】
2017093624.tif 000008
【図７】
2017093624.tif 000009
【図８】
2017093624.tif 000010